(57)【要約】【課題】選別部で選別処理された処理物をグレンタンク側等に向けて上方搬送する搬送装置を備えた脱穀装置において、搬送装置内の搬送コンベアの駆動をより安定させることができるとともに、上下方向に長い搬送装置のメンテナンスをより容易にできる脱穀装置を提供することを課題としている。【解決手段】脱穀部１６と、選別部１７と、該選別部１７で選別された処理物を上方搬送する上方搬送装置１８,１９とを備え、該上方搬送装置１８，１９を構成する搬送ケース３６，４２に、開口部４８，４９，５１，５２が形成されて、該開口部４８，４９，５１，５２を塞ぐ開閉蓋５３，５４が着脱可能に設けられた脱穀装置において、前記開口部４８，４９，５１，５２は、上下に並べて複数形成され、チェーン又はベルトの変形を規制する受け部材３９，４６を、搬送ケースの内面側における上下に並べられた開口部４８，４９，５１，５２間に取付支持された。【選択図】図７
2017140002.tif 000002
【特許請求の範囲】
【請求項１】
投入された穀稈の脱穀処理をする脱穀部（１６）と、
該脱穀部（１６）で脱穀処理された処理物を選別する選別部（１７）と、
該選別部（１７）で選別された処理物を上方搬送する上方搬送装置（１８,１９）とを備え、
該上方搬送装置（１８，１９）は、上下方向に延設された搬送ケース（３６，４２）と、該搬送ケース（３６，４２）内に配置された処理物を上方搬送する搬送コンベア（３７，４３）とを有し、
該搬送ケース（３６，４２）の側壁部（３６ａ，４２ａ）に、開口部（４８，４９，５１，５２）が形成されて、
該開口部（４８，４９，５１，５２）を塞ぐ開閉蓋（５３，５４）が着脱可能に設けられた脱穀装置において、
前記開口部（４８，４９，５１，５２）は、上記側壁部（３６ａ，４２ａ）に、上下に並べられて、複数形成され、
前記搬送コンベア（３７，４３）は、チェーン又はベルトの変形を規制する受け部材（３９，４６）を有し、
該受け部材（３９，４６）は、側壁部（３６ａ，４２ａ）内面側における上下に並べられた開口部（４８，４９，５１，５２）間に取付支持された
ことを特徴とする脱穀装置。
【請求項２】
上側の開口部（５１，５２）に取付けられる開閉蓋（５４）は、下側の開口部（４８，４９）に取付けられる開閉蓋（５３）の取付強度より強固に固定されるように構成した
請求項１に記載の脱穀装置。
【請求項３】
前記開閉蓋（５３，５４）は、上側の開口部（５１，５２）を塞ぐ開閉蓋（５４）よりも、下側の開口部（４８，４９）を塞ぐ開閉蓋（５３）を小さく構成した
請求項１又は２の何れかに記載の脱穀装置。
【発明の詳細な説明】
【技術分野】
【０００１】
本発明は、選別された処理物を上方搬送する搬送装置を備えた脱穀装置に関する。
【背景技術】
【０００２】
投入された穀稈の脱穀処理をする脱穀部と、該脱穀部で脱穀処理された処理物を選別する選別部と、該選別部で選別された処理物を上方搬送する上方搬送装置とを備え、該上方搬送装置は、上下方向に延設された搬送ケースと、該搬送ケース内に配置された処理物を上方搬送する搬送コンベアとを有し、該搬送ケースの側壁部に、開口部が形成されて、該開口部を塞ぐ開閉蓋が着脱可能に設けられた特許文献１に記載の脱穀装置が従来公知である。
【先行技術文献】
【特許文献】
【０００３】
【特許文献１】特開２００１−８５４２号公報
【発明の概要】
【発明が解決しようとする課題】
【０００４】
上記文献によれば、前記搬送装置の下部側に形成された開口部を介して搬送コンベアのメンテナンスをすることができるものであるが、搬送ケース内に詰った処理物を掃除等する場合には、上記の開口部越しからでは、比較的に処理物の詰り易い搬送ケース上側の掃除がし難い場合があるとともに、処理物が詰まることで上下に長い搬送用のチェーン又はベルトが処理物の重みにより撓み易くなる場合があるという課題があった。
【０００５】
本発明では、選別部で選別処理された処理物をグレンタンク側等に向けて上方搬送する搬送装置を備えた脱穀装置において、搬送装置内の搬送コンベアの駆動をより安定させることができるとともに、上下方向に長い搬送装置のメンテナンスをより容易にできる脱穀装置を提供することを課題としている。
【課題を解決するための手段】
【０００６】
上記課題を解決するため本発明は、第１に、投入された穀稈の脱穀処理をする脱穀部１６と、該脱穀部１６で脱穀処理された処理物を選別する選別部１７と、該選別部１７で選別された処理物を上方搬送する上方搬送装置１８,１９とを備え、該上方搬送装置１８，１９は、上下方向に延設された搬送ケース３６，４２と、該搬送ケース３６，４２内に配置された処理物を上方搬送する搬送コンベア３７，４３とを有し、該搬送ケース３６，４２の側壁部３６ａ，４２ａに、開口部４８，４９，５１，５２が形成されて、該開口部４８，４９，５１，５２を塞ぐ開閉蓋５３，５４が着脱可能に設けられた脱穀装置において、前記開口部４８，４９，５１，５２は、上記側壁部３６ａ，４２ａに、上下に並べられて、複数形成され、前記搬送コンベア３７，４３は、チェーン又はベルトの変形を規制する受け部材３９，４６を有し、該受け部材３９，４６は、側壁部３６ａ，４２ａ内面側における上下に並べられた開口部４８，４９，５１，５２間に取付支持されたことを特徴としている。
【０００７】
第２に、上側の開口部５１，５２に取付けられる開閉蓋５４は、下側の開口部４８，４９に取付けられる開閉蓋５３の取付強度より強固に固定されるように構成したことを特徴としている。
【０００８】
第３に、前記開閉蓋５３，５４は、上側の開口部５１，５２を塞ぐ開閉蓋５４よりも、下側の開口部４８，４９を塞ぐ開閉蓋５３を小さく構成したことを特徴としている。
【発明の効果】
【０００９】
前記上方搬送装置は、その側板部に上下方向に並べた複数の開口部が形成されることにより、内部の搬送コンベアで処理物が詰まった際に、掃除等のメンテナンスをよりスムーズに行うことができる。また、前記受け部材は、上下の開口部の間に取付支持されることによって、搬送コンベアをより安定した状態で支持できる。
【００１０】
また、上側の開口部に取付けられる開閉蓋は、下側の開口部に取付けられる開閉蓋の取付強度より強固に固定されるように構成したものによれば、処理物が詰りやすい搬送下流側となる搬送ケース上側の開閉蓋の取付強度が高くなるため、過剰な詰りによって開閉蓋が破損することを防止できるとともに、比較的処理物が詰り難い搬送ケース下側の開閉蓋の取付け構成が簡素化されるため、開閉蓋の着脱が容易となりメンテナンスもよりスムーズになる。
【００１１】
なお、前記開閉蓋は、上側の開口部を塞ぐ開閉蓋よりも、下側の開口部を塞ぐ開閉蓋を小さく構成したものによれば、開閉蓋をより軽量化することができるとともに、固定するための部材も少なくすることができるため、コストを低く抑えることができるとともに、開閉蓋の着脱作業もよりスムーズにすることができる。
【図面の簡単な説明】
【００１２】
【図１】本発明を適用した脱穀装置を備えた汎用コンバインの平面図である。
【図２】本発明を適用した脱穀装置を備えた汎用コンバインの右側面図である。
【図３】脱穀装置の構成を示した要部側面図である。
【図４】グレンタンクを取外した状態を示す全体右側面図である。
【図５】受け部材の支持構成を示した脱穀装置の要部側面図である。
【図６】穀粒搬送装置及び還元搬送装置を示した要部側面図である。
【図７】開閉蓋の着脱態様を示した図である。
【図８】（Ａ）乃至（Ｃ）は、受け部材を示した還元搬送装置の要部側面図、Ａ−Ａ断面図、Ｂ−Ｂ断面図である。
【図９】開閉蓋の別実施例を示した脱穀装置の要部側面図である。
【図１０】受け部材の別実施例を示した要部側面図である。
【図１１】（Ａ）乃至（Ｃ）は、受け部材の支持構造を示した還元搬送装置の側面図、Ａ−Ａ断面図、Ｂ−Ｂ断面図である。
【発明を実施するための形態】
【００１３】
以下、図示する例に基づき本発明の実施形態について説明する。
図１及び図２は、本発明を適用した脱穀装置を備えた汎用コンバインの平面図及び右側面図であり、図３は、脱穀装置の構成を示した要部側面図である。本汎用コンバインは、走行部である左右一対のクローラ式走行装置１，１に支持された走行機体２と、該走行機体２の前部に昇降可能に連結されて圃場の穀稈の刈取作業等を行う刈取部３とを備えている。
【００１４】
該走行機体２は、刈取部３の後方にオペレータが乗込んで操向操作を行う操縦部が設けられるキャビン４と、該キャビン４の後方左側であって前記刈取部３で刈取られた穀稈の脱穀作業を行う脱穀装置６と、該脱穀装置６による脱穀処理で得られた穀粒を貯留するグレンタンク７と、走行機体２後端側から藁屑等を排出する排出部８とを有している。
【００１５】
前記刈取部３は、刈取った穀稈を脱穀装置側に搬送する搬送コンベア１０を有するフィーダ９と、該フィーダ９の前端側に連結されて前方側に延びる刈取フレーム１１と、該刈取フレーム１１の前端側に設けたデバイダ１２と、刈取フレーム１１の基端部となる後端側から前方に向って延出している左右一対の支持アーム１３，１３と、該左右の支持アーム１３の延出端間に回転自在に架設支持された掻込リール１４とを備えている。
【００１６】
該構成の刈取部３により刈取られた穀稈は、刈取フレーム１１側の搬送オーガ１５によりフィーダ９の前端側へ送られ、該フィーダ９に搬送された穀稈がフィーダ９の内部に備えた搬送コンベアによって後方側に搬送される。フィーダ９の後端側へ搬送された刈取穀稈は、前記脱穀装置６の上部前端側へと送られる。
【００１７】
前記脱穀装置６は、該脱穀装置６の上部側であって搬送コンベア１０から搬送される刈取穀稈の脱穀作業を行う脱穀部１６と、該脱穀装置６の下部側であって前記脱穀部１６により脱穀された処理物を一番物である穀粒と、二番物と、藁屑等の排塵物とに選別する選別部１７とから構成され、該選別部１７で選別された処理物は、後述の上方搬送装置１８，１９を介してグレンタンク７若しくは脱穀装置６側に搬送される。
【００１８】
前記脱穀部１６は、前記搬送コンベアの後端側から刈取穀稈が投入される扱室２１と、該扱室２１の前後方向全体に亘って形成される前後方向の回転軸回りに回転駆動可能に設けられて前端側が漏斗型に形成された円筒状の扱胴２２と、該扱胴２２の下方側であって扱胴２２の形状に沿って中央側が窪んだ円弧状をしている受網２３とを備えている。
【００１９】
前記扱室２１の前方側に投入された刈取穀稈は、前記扱胴２２の側面周面に螺旋状に設けた板状の扱歯２４と、該扱歯２４に沿って設けられた送塵弁（図示しない）とによって扱室２１の後方側へと案内される。これにより、扱室２１に送込まれた刈取穀稈は、前記扱歯２４に所定間隔で複数取付けられた突起部２６と、前記受網２３とによって扱降ろされて脱穀処理される。
【００２０】
すなわち、前記刈取部３によって刈取られた刈取穀稈全体が扱室２１へ投入されるため、穀稈全体について脱穀作業が行われる。脱穀処理された処理物は、受網２３を通過して下方側の選別部１７に落下する。なお、扱室２１と選別部１７とは受網２３によって仕切られている。
【００２１】
前記選別部１７は、前記受網２３を通過した処理物を揺動選別する揺動選別体２７と、該揺動選別体２７を内装する選別ケース２８と、選別風を送風する唐箕ファン２９と、選別後の排塵物を機外に排出する二番選別ファン３１と、選別された一番物を回収・搬送する一番ラセン３２と、選別された二番物を回収・搬送する二番ラセン３３とを備えている。
【００２２】
前記揺動選別体２７は、受網２３から落下してきた処理物が投下されるチャフシーブを有し、処理物は、該チャフシーブの前後揺動によって選別されつつさらに下方に漏下される。該揺動選別体２７から漏下した処理物は、前記唐箕ファン２９による選別風によって、一番物である穀粒を選別するとともに、前記二番選別ファン３１による選別風によって、二番物と排塵物とを選別することができる。
【００２３】
前記一番ラセン３２は、唐箕ファン２９の後方で左右方向に延設された搬送装置であり、選別された一番物を脱穀装置６の左右側方側（図示する例では右側）に搬送する。同様に、前記二番ラセン３３は、二番選別ファン３１の後方で左右方向に延設された搬送装置であり、選別された二番物を脱穀装置６の右側に搬送する。
【００２４】
また、一番ラセン３２及び二番ラセン３３の搬送終端側（脱穀装置の右側方側）には、一番ラセン３３により搬送された一番物をグレンタンク７側へ向けて搬送する穀粒搬送装置（上方搬送装置）１８と、二番物ラセン３３により搬送された二番物を扱室２１又は選別部１７へ向けて還元搬送する還元搬送装置（上方搬送装置）１９とが設けられている。
【００２５】
前記穀粒搬送装置１８は、一番ラセン３２の終端側から上方に向って四角柱状に立設された穀粒搬送ケース（搬送ケース）３６と、該穀粒搬送ケース３６内に設けた上下方向にチェーン駆動する駆動チェーン（搬送コンベア）３７と、該駆動チェーン３７に所定間隔で複数設けて下端側で掬い上げた一番物を上方搬送するカップ状の搬送体３８と、駆動チェーン３７の内側に配置されて該駆動チェーン３７の撓みを防止する受け部材３９と、駆動チェーン３７の上部前側に配置されるとともに右方側へ延設されて一番物をグレンタンク７へ搬送する穀粒ラセン４１とから構成されている。
【００２６】
前記還元搬送装置１９は、二番ラセン３３の終端側から上方に向って四角柱状に立設された上方搬送ケース（搬送ケース）４２と、該上方搬送ケース４２内で上下方向に延設されてチェーン駆動する駆動チェーン（搬送コンベア）４３と、該駆動チェーン４３に所定間隔で複数設けた板状の搬送板４４と、駆動チェーン４３の内側に配置されて該駆動チェーン４３の撓みを防止する受け部材４６と、駆動チェーン４３の上部前側に配置されるとともに前方に延設されて二番物を扱室２１又は選別部１７側へ搬送する還元ラセン４７とから構成されている。
【００２７】
このとき、上方搬送ケース４２の上部側であって且つ、処理物が投入れられる前記還元ラセン４７との間に、搬送される処理物の詰りを検出する詰りセンサ３０が設けられている（図４等参照）。該詰りセンサ３０により、オペレータに還元搬送装置１９内が処理物で詰っていることを報知できる。また、同様のセンサをグレンタンク７にも設けることで、グレンタンク内の穀粒の貯留量を検出することができる。
【００２８】
なお、前記グレンタンク７は、その後端側を軸として左右方向に開閉可能な構成で走行機体２側に連結されており、該グレンタンク７を開作動することによって（図１参照）、前記脱穀装置６の右側面側、すなわち、前記穀粒搬送装置１８及び還元搬送装置１９が、走行機体２の側面側に露出したメンテナンス状態に切換えられる。なお、該グレンタンク７は、走行機体２側から取外すこともできる（図４参照）。
【００２９】
このとき、前記穀粒搬送ケース３６（穀粒搬送装置１８）と、前記上方搬送ケース４２（還元搬送装置１９）のメンテナンス状態で露出する側の側面（右側面）である側壁部３６ａ，４２ａには、それぞれメンテナンス用に開口形成された開口部と、該開口部に着脱自在に取付けられる開閉蓋が設けられている。該側壁部側の具体的な構成については後述する。
【００３０】
ちなみに、前記脱穀部１６で脱穀処理された後に残った受網２３上の比較的大きな排藁等は、前記螺旋状の扱歯２４による移送作用及び前記送塵弁による案内により扱室２１の後端側まで移送され、受網２３の後端部から前記排出部８へ落下し、機外へ排出される。また、前記選別部１７において、受網２３から落下してきた揺動選別体２７上の処理物のうち、前記選別部１７によって選別された藁屑等の排塵物は、二番選別ファン３１等からの選別風によって前記選別ケース２８の後端側から機外へと排出される。
【００３１】
すなわち、前記排出部８からは、上記構成により脱穀部１６の後端部から落下する比較的大きな排藁等と、選別部１７の後端側から排出される細かい藁屑等である排塵物とが走行機体２の後方へ向けて排出される。
【００３２】
次に、図４乃至図８に基づき、前記穀粒搬送ケース及び上方搬送ケースの側壁部の構成について説明する。図４は、グレンタンクを取外した状態を示す全体右側面図であり、図５は、受け部材の支持構成を示した脱穀装置の要部側面図であり、図６は、穀粒搬送装置及び還元搬送装置を示した要部側面図であり、図７は、開閉蓋の着脱態様を示した図であり、図８（Ａ）乃至（Ｃ）は、受け部材を示した還元搬送装置の要部側面図、Ａ−Ａ断面図、Ｂ−Ｂ断面図である。
【００３３】
図４及び図５に示されるように、前記穀粒搬送ケース３６及び上方搬送ケース４２の前記側壁部３６ａ，４２ａには、下部側に設けた方形状の下開口部４８，４９と、該下開口部４８，４９の上方側に設けた上開口部５１，５２とが上下に並べて開口形成されており、各開口部には、下開口部４８，４９を閉じるカバー体である下開閉蓋５３と、上開口部５１，５２を閉じるカバー体である上開閉蓋５４とがそれぞれ着脱自在に取付けられている。また、該側壁部３６ａ，４２ａの下開口部４８，４９と上開口部５１，５２との間の内面側には、各ケース内を駆動するチェーン又はベルトで構成される前記駆動チェーンを支持する受け部材３９，４６が支持されている。
【００３４】
ちなみに、穀粒搬送ケース３６及び上方搬送ケース４２には、前記下開閉蓋５３及び上開閉蓋５４の他に、各ケースの上面側を覆う上面カバー５６，５７と、穀粒搬送ケース３６の下端となる一番ラセン３２下側を覆う樋である漏斗型の下面カバー５８と、上方搬送ケース４２の下端となる二番ラセン３３下側を覆う樋である漏斗型の下面カバー５９とが、それぞれ着脱可能に構成されている（図６参照）。
【００３５】
前記下開口部４８，４９は、側壁部３６ａ，４２ａの下部側であって且つ、一番ラセン３２（又は二番ラセン３３）の上方側となる位置で縦長方形状に開口形成され、その左右幅方向は側壁部３６ａ，４２ａの幅よりも幅狭に形成されている。なお、該下開口部４８，４９の上下端側には、前記下開閉蓋５３を着脱するための取付孔６１が上下に一対穿設されている。
【００３６】
前記下開閉蓋５３は、下開口部４８，４９を塞ぐ方形板状の部材であって、図示する例では、その上下方向は前記下開口部４８，４９の上下に配置された前記取付孔６１，６１の間よりも広く形成されており、その左右方向は下開口部４８，４９の左右幅よりも広く且つ、側壁部３６ａ，４２ａの左右幅よりも狭くなるように形成されている。
【００３７】
また、該下開閉蓋５３には、下開閉蓋５３を下開口部４８，４９側に着脱自在に取付けるための取付具として、下開閉蓋５３の上下端側に配置された一対のノブナット６２が設けられている。すなわち、下開閉蓋５３は、ノブナット６２を前記取付孔６１側に締付固定することにより、下開口部４８，４９側に着脱自在に取付けることができる（図５、図８（Ａ）及び（Ｃ）等参照）。
【００３８】
なお、該下開閉蓋５３は、下開口部４８，４９の下側に設けた下開閉蓋５３の下端側を係止（支持）する下端支持部（図示しない）により下開閉蓋の下端側を係止するとともに、下開閉蓋５３の上端側を、上記ノブナット６２で取付孔６１に締付固定することによって、下開閉蓋５３を側壁部側に取付ける構成であっても良い。
【００３９】
前記上開口部５１，５２は、下開口部４８，４９の上方側であって且つ、側壁部３６ａ，４２ａの中途部から上部側に亘って縦長方形状に開口形成され、その左右幅方向は側壁部３６ａ，４２ａの幅方向と同程度に形成されている。なお、該上開口部５１，５２の上下幅は、下開口部４８，４９の上下幅よりも幅広に設定されており（図示する例では、下開口部４８，４９の２倍程度）、上開口部５１，５２は下開口部４８，４９よりも大きく形成されている。
【００４０】
また、該上開口部５１，５２の左右両端側には、上開口部５１，５２の上下幅全体にグレンタンク７側へ突出する板状の突設部６３，６３が設けられており、該突設部６３には、前記上開閉蓋５４を取付けるための取付孔６３ａが複数（図示する例では、上下端及び中央の計３箇所）に並べて穿設されている。
【００４１】
前記上開閉蓋５４は、上開口部５１，５２を塞ぐ方形板状の部材であって、図示する例では、上下方向が前記上開口部５１，５２の上下幅と略同じか、若干長い程度で形成されるとともに、その左右方向は、側壁部３６ａ，４２ａの左右幅と略同程度の幅となるように形成されている。
【００４２】
また、該上開閉蓋５４の左右両端側は、平面視でコ字状となるように屈曲された当接部６４，６４が形成されており、該当接部６４には、上開口部５１，５２側の前記突設部６３側に取付けるための取付具として、ノブナット６２が上下に複数（図示する例では３箇所）設けられている。なお、上記当接部６４の端部は、外側に屈曲した位置決め部６４ａが形成されることで、上開閉蓋５４の端部がクランク状に形成されている（図８（Ｂ）参照）。
【００４３】
すなわち、上開閉蓋５４は、前記当接部６４の外面側と前記位置決め部６４ａとが、前記突設部６３側に当接する位置に嵌込まれることにより、上開口部５１，５２を塞ぐ位置に位置決めされ、該状態で左右に設けたノブナット６２を、突設部６３側の取付孔６３ａ側に締付固定することにより、上開閉蓋５４を上開口部５１，５２側に着脱自在に取付けることができる（図５、図８（Ａ）及び（Ｂ）等参照）。
【００４４】
上記構成により、前記上開口部５１，５２が下開口部４８，４９と比較して大きく開口形成されていることにより、前前記上開閉蓋５４を取外すことによって、穀粒搬送装置１８（還元搬送装置１９）において比較的処理物等が溜まり易い、穀粒搬送ケース３６（上方搬送ケース４２）の側面上部側を大きく開口させることができるため、ケース内の清掃等のメンテナンスが容易になる。
【００４５】
また、上開口部５１，５２を閉じる上開閉蓋５４は、取付固定するためのノブナット６２を下開閉蓋５３側と比べて多く（図示する例では計６個）用いて固定するため、処理物が詰ることで比較的に圧力が加わり易い脱穀搬送ケース３６（上方搬送ケース４２）の上側の強度を高く保つことができる。
【００４６】
その一方で、前記下開口部４８，４９を閉じる前記下開閉蓋５３は、上開閉蓋５４と比較して、小さく且つ軽量に形成されるとともに、取付作業に用いるノブナット６２の個数も少ないため、着脱作業をよりスムーズに行うことができる。
【００４７】
具体的に各開口部は、前記上開口部５１，５２では、脱穀搬送ケース３６（上方搬送ケース４２）上部に溜まった処理物の除去や清掃作業が行われ、前記下開口部４８，４９では、駆動チェーンの張りの確認や注油、搬送体３８（搬送板４４）の状態の確認等、比較的に頻度の多いメンテナンスが行われる。
【００４８】
前記受け部材３９，４６は、図７及び図８等に示されるように、脱穀搬送ケース３６（上方搬送ケース４２）の上端及び下端に配置されたスプロケットの間に亘って上下方向に延設された板状部材であって、該受け部材３９，４６は、スプロケットで掛け回される前記駆動チェーン３７，４９が、上方に向って駆動する（図７の上方向の矢印が記載されている）側の内面側に沿って設けられている。
【００４９】
具体的には、図８（Ｂ）及び（Ｃ）に示されるように、還元搬送装置１９側の受け部材４６の断面形状は、駆動チェーン４９側を支持する支持面４６ａと、該支持面４６ａの両端部をアンクル状に屈曲形成した固定面４６ｂ，４６ｂとを有し、該支持面４６ａは駆動チェーン４９が内側に撓むことを防止するとともに、固定面４６ｂ，４６ｂは側壁部４２ａと、該側壁部４２ａと対向する側の面とにそれぞれボルト固定部６０を介して固定されるように構成されている。
【００５０】
該受け部材４６の固定面４６ｂ，４６ｂは、上下方向に複数（図示する例では３箇所）配置した前記ボルト固定部６０により、その上端側が上開口部５２の上方側に取付固定され、その下端側が下開口部４９の下方側に取付固定され、その中途部が上開口部５２と下開口部４９の間に取付固定されている（図７参照）。
【００５１】
このとき、受け部材４６の下端側はＵ字状若しくはＬ字状に屈曲形成されており、該屈曲部分が前後に並べて配置された２つの前記ボルト固定部６０により固定されている。なお、該受け部材４６の下端側の形状はこれらに限られない。ちなみに、穀粒搬送装置１８側の受け部材３９も同様の構成で穀粒搬送ケース３６内に取付固定されている。
【００５２】
該構成の受け部材３９，４６によれば、選別部１７で選別処理された一番物（二番物）を、前記駆動チェーン３７，４３に設けた前記搬送体３８（搬送板４４）で掬い上げて上方搬送する際に、掬い上げた処理物の重さによって、駆動チェーン３７，４３が内側に撓んで変形することによって、搬送中の処理物が零れ落ちて脱穀搬送ケース３６（上方搬送ケース４２）内で詰ることを効率的に防止することができる。
【００５３】
さらに、上下方向に長い受け部材３９，４６を、側壁部３６ａ，４２ａ内面側に支持するにあたり、その中途部が上開口部５１，５２と下開口部４８，４９との間に取付固定されることにより、上下端側のみが支持される場合と比較して、受け部材３９，４６がより安定した状態で固定され、駆動チェーン３７，４３をしっかりと支持することができる。また、該受け部材３９，４６が取付けられる上端、下端、中途部がそれぞれ上開口部５１，５２又は下開口部４８，４９の近くに配置されるため、メンテナンスも容易になる。
【００５４】
次に、図９に基づき、開口部及び開閉蓋の別実施例について、上述の例とは異なる点について説明する。図９は、開閉蓋の別実施例を示した脱穀装置の要部側面図である。前記下開口部４８，４９は、側壁部３６ａ，４２ａの下部側であって且つ、一番ラセン３２（又は二番ラセン３３）の上方側となる位置で縦長方形状に開口形成され、その左右幅方向は側壁部３６ａ，４２ａの左右幅と略同じ幅で形成されている。なお、該下開口部４８，４９の上下端側には、前記下開閉蓋５３を着脱するための取付孔６１が上下に一対穿設されている。
【００５５】
前記下開閉蓋５３は、下開口部４８，４９を塞ぐ方形板状の部材であって、図示する例では、その上下方向は前記下開口部４８，４９の上下に配置された前記取付孔６１，６１の間よりも広く形成されており、その左右方向は、側壁部３６ａ，４２ａの左右幅と略同程度の幅となるように形成されている。
【００５６】
すなわち、前記下開口部の左右幅を、上開口部と同様に、側壁部３６ａ，４２ａの左右幅と同程度に形成されているため、上下の開口部を容易に形成することができる。また、下開閉蓋と上開閉蓋の左右幅も同程度に形成されるため、上下の開閉蓋も形成し易くなる。
【００５７】
次に、図１０に基づき、前記受け部材の別実施例について、上述の例とは異なる点について説明する。図１０は、受け部材の別実施例を示した要部側面図である。前記上方搬送ケース４２は、前記搬送チェーン４３を支持する前記受け部材６７が設けられており、該受け部材６７は、上端側が上開口部５２の上方側に取付けられるとともに、下端側が上開口部５２と下開口部４９の間に取付けられる上側受け部材６７Ａと、上端側が上開口部５２と下開口部４９の間に取付けられるとともに、下端側が下開口部４９の下方側に取付けられる下側受け部材６７Ｂとから構成されている。なお、脱穀搬送装置１８側にも同様の構成の受け部材６７を設けても良い。
【００５８】
該構成によれば、前記受け部材６７が上下二つに分割して構成されて、それぞれ上方搬送ケース４２側に取付可能に構成されたことにより、受け部材６７の着脱がよりスムーズになるとともに、受け部材６７の一部の破損等した場合であっても、受け部材６７全体を交換する必要がなくなるため、メンテナンスや交換時のコストを低く抑えることができる。
【００５９】
次に、図１１に基づき、前記受け部材の取付構造ついて、上述の例とは異なる点について説明する。図１１（Ａ）乃至（Ｃ）は、受け部材の支持構造を示した還元搬送装置の側面図、Ａ−Ａ断面図、Ｂ−Ｂ断面図である。図示されるように、還元搬送装置１９側の受け部材４６の断面形状は、駆動チェーン４９側を支持する支持面４６ａと、該支持面４６ａの両端部をアンクル状に屈曲形成した固定面４６ｂ，４６ｂとを有し、該固定面４６ｂ，４６ｂは側壁部４２ａと、該側壁部４２ａと対向する側の面とにそれぞれボルト固定部６０を介して固定されるように構成されている。
【００６０】
このとき、該受け部材４６の固定面４６ｂによる上方搬送ケース４２側への取付を補助する補助部材６８を設けた。該補助部材６８は断面Ｌ字状の部材で、前記固定面４６ａの端部に沿って配置されており、上下方向に延設された受け部材４６に沿って、所定の間隔で複数設けられている。
【００６１】
該構成の補助部材６８を設けたことにより、駆動チェーン４９の駆動によって受け部材４６が受ける振動が抑制され、受け部材４６による駆動チェーン４９の支持がより安定する。
【符号の説明】
【００６２】
１６    脱穀部
１７    選別部
１８    穀粒搬送装置（上方搬送装置）
１９    還元搬送装置（上方搬送装置）
３６    穀粒搬送ケース（搬送ケース）
４２    上方搬送ケース（搬送ケース）
３７，４３      駆動チェーン（搬送コンベア）
３６ａ，４２ａ  側壁部
３９，４６      受け部材
４８，４９      下開口部（開口部）
５１，５２      上開口部（開口部）
５３    下開閉蓋（開閉蓋）
５４    上開閉蓋（開閉蓋）
【図１】
2017140002.tif 000003
【図２】
2017140002.tif 000004
【図３】
2017140002.tif 000005
【図４】
2017140002.tif 000006
【図５】
2017140002.tif 000007
【図６】
2017140002.tif 000008
【図７】
2017140002.tif 000009
【図８】
2017140002.tif 000010
【図９】
2017140002.tif 000011
【図１０】
2017140002.tif 000012
【図１１】
2017140002.tif 000013